(57)【要約】【課題】光源の温度特性にあった光出力を得ることができ、かつ、組立加工性に優れ、安価な方法で、表示面の明るさを調整できる表示灯を提供する。【解決手段】表示灯１０は、前側に開口部１２を備えた箱状の本体１１と、本体１１の開口部１２のうち、上部に着脱自在に取り付けられたランプホルダ１４と、ランプホルダ１４に設けられたランプ２５を複数種類の発光出力で点灯させる点灯装置１５と、ランプ２５からの光を出力・表示させる表示ユニット２０とを備える。この表示灯１０は、ランプ２５の最冷点を保温する保温部材４０が取り外し可能に設けられている。【選択図】図２
2009003339.tif 000002
【特許請求の範囲】
【請求項１】
光源と、
前記光源を複数種類の発光出力で点灯させる点灯装置と、
前記光源からの光を出力・表示させる表示ユニットとを備える表示灯において、
前記光源の最冷点を保温する保温部材が設けられていることを特徴とする表示灯。
【請求項２】
前記保温部材が前記表示ユニットに対して取り外し可能に取り付けられていることを特徴とする請求項１に記載の表示灯。
【発明の詳細な説明】
【技術分野】
【０００１】
本発明は、光源からの光を出力・表示させる表示ユニットとを備えた表示灯に関する。
【背景技術】
【０００２】
例えば従来のエッジライト方式を用いた表示灯は、導光版の入射端面より光源からの光を入射させ、導光版の裏面のドット印刷やＶ型の溝に当たって進行方向を変えた光により前面を照射するという原理を利用している（特許文献１参照）。
この方式を用いる場合、発光量を最大に得るためには、光源の温度特性に適合した温度管理をおこなうことが重要である。
【０００３】
例えば、発光量を最大に得る手段として、光源と反射板との距離を変更して空気層の厚さを調整することによりランプ表面温度を調整したり、ヒートパイプや冷却ファンによりランプ表面温度を調整する方法が提案されている（特許文献２参照）。
【０００４】
また、その他の手段として、ランプと反射板との間に熱伝導率が高い、もしくは、熱伝導率が低い気体や液体を封入してランプ表面温度を調整する方法が提案されている（特許文献３参照）。
【特許文献１】特開２００２−２５３１３号公報
【特許文献２】特開平１１−１５４４０６号公報
【特許文献３】特開平１１−８６６２１号公報
【発明の開示】
【発明が解決しようとする課題】
【０００５】
しかしながら、特許文献２に示す、光源と反射板との距離を変更して空気層の厚さを調整することによりランプ表面温度を調整する方法は、ランプ管径が小さく反射板との距離が非常に近い場合、ランプ表面温度を調整することは難しい。
【０００６】
また、特許文献２に示す、ヒートパイプや冷却ファンによりランプ表面温度を調整する方法は、ヒートパイプや冷却ファンなどを備えるためにコストがかかり、かつ、ヒートパイプや冷却ファンなどを設置するスペースを必要とする。
【０００７】
さらに、特許文献３に示す、ランプと反射板との間に気体や液体を封入してランプ表面温度を調整する方法は、ランプと反射板との間に気体や液体を封入する必要があり、気体や液体を封入する加工が難しく、また、異なる温度でランプの光量を調整したい場合、気体や液体を入れ替えなければならない。
【０００８】
特に、導光式表示灯の一つである導光式誘導灯の場合、表示面の輝度が明確に規定されている。導光式誘導灯の場合、表示面の輝度によりＡ級、Ｂ級、Ｃ級とに分類されている。
ここで、Ｂ級の導光式誘導灯のなかには、明るさにより、ＢＨ型（高輝度型）の表示灯とＢＬ型（低輝度型）の表示灯の二種類ある。
ＢＨ型やＢＬ型の表示灯は、点灯ブロックの出力と表示ユニットが異なるだけで、その他（本体、ランプおよびランプホルダ）は共通部材が用いられている。
【０００９】
ＢＨ型の表示ユニットは、透明樹脂のパネルと、光を集光させるためのレンズシートと、パネルの透明部分を白く見せるための拡散シートとにより構成されている。
一方、ＢＬ型の表示ユニットは、乳白樹脂のパネルと、光を集光させるためのレンズシートとにより構成されている。
【００１０】
ところで、Ｂ級の導光式誘導灯は、図１４に示すように、ランプ保管温度が非常時の輝度が常時に比べて低く設定されている。
ＢＨ型の導光式誘導灯は、ＢＬ型の導光式誘導灯と比較してランプ電流値が高いので、ランプ保管温度が相対的に高くなる。
【００１１】
図１４のグラフから、ＢＬ型の導光式誘導灯およびＢＨ型の導光式誘導灯は、非常時において、ランプ温度を上昇させれば両方の輝度が上昇することがわかる。
しかし、常時の場合、ＢＬ型の導光式誘導灯は、ランプ温度を上昇させると輝度が上昇するが、ＢＨ型の導光式誘導灯は、ランプ温度を上昇させると輝度が下降してしまう。
【００１２】
特許文献２、３の表示灯で、この問題を解決するためには、ＢＬ型やＢＨ型の導光式誘導灯に対応させて二種類のランプホルダが必要となり、加えて、二種類のランプホルダの加工も必要になる。
このため、特許文献２、３の表示灯ではコストを抑えることが難しいとされていた。
【００１３】
本発明は、前述した要望を満たすためになされたもので、その目的は、光源の温度特性にあった光出力を得ることができ、かつ、組立加工性に優れ、安価な方法で、表示面の明るさを調整できる表示灯を提供することにある。
【課題を解決するための手段】
【００１４】
本発明の表示灯は、光源と、前記光源を複数種類の発光出力で点灯させる点灯装置と、前記光源からの光を出力・表示させる表示ユニットとを備える表示灯において、前記光源の最令点を保温する保温部材が設けられていることを特徴とする。
【００１５】
光源の最令点を保温する保温部材を設けることにより、光源の温度を上昇させることが可能になる。
これにより、光源の温度特性にあった光出力を得ることができ、光源の輝度を上昇させることができる。
【００１６】
また、本発明の表示灯は、前記保温部材が前記表示ユニットに対して取り外し可能に取り付けられていることを特徴とする。
【００１７】
保温部材を取り外し可能に取り付けることにより、部品点数を増やすことなく、安価で、加工性、組立性に優れた表示灯を提供できる。
【発明の効果】
【００１８】
本発明の表示灯によれば、光源の最冷点を保温する保温部材が設けられることで、光源の温度特性にあった光出力を得ることができるという効果を有する。
【発明を実施するための最良の形態】
【００１９】
以下、本発明の実施の形態に係る表示灯について、図面を参照して説明する。
図１に示すように、表示灯１０は、前側に開口部１２を備えた箱状の本体１１と、本体１１の開口部１２のうち、上部に着脱自在に取り付けられたランプホルダ１４と、ランプホルダ１４に設けられたランプ（光源）２５を複数種類の発光出力で点灯させる点灯装置１５と、本体１１内に収容され、ランプ（光源）２５に接続可能なソケット１８と、本体１１の開口部１２に着脱自在に取り付けられ、ランプ２５からの光を出力・表示させる表示ユニット２０とを備える。
【００２０】
本体１１は、矩形状の背面壁２２の周囲に枠体（周壁）２３が設けられることで、前側に開口部１２を有する箱状に収容ケースである。
本体１１の内部にランプホルダ１４、ソケット１８や点灯ブロック１６が収容され、前側の開口部１２に表示ユニット２０が着脱自在に設けられている。
【００２１】
図２に示すように、ランプホルダ１４は、光源となるランプ２５と、ランプ２５から照射された光を反射する反射板２６と、ランプ２５の端子に接続された接続端子２７（図１参照）と、ランプ２５、反射板２６および接続端子２７を保持するホルダ本体２８とを有する。
【００２２】
ホルダ本体２８は、図１に示す本体１１の開口部１２のうち、上部に着脱可能に構成されている。
ホルダ本体２８が、本体１１の開口部１２のうち、上部に取り付けられた状態において接続端子２７がソケット１８（図１参照）に接続される。
【００２３】
図１に示すソケット１８は、本体１１の左右の壁部２３Ａ，２３Ｂに設けられ、商用電源（図示せず）に接続されるとともに、点灯ブロック１６に接続された端子を有する。
【００２４】
図１に示す点灯装置１５は、通常時には、ソケット１８に取り付けられたランプ２５に商用電源から給電してランプ２５を点灯させ、商用電源の停止時には点灯ブロック１６の蓄電池２９から給電してランプ２５を点灯するものである。
点灯ブロック１６は、本体１１内に収容され、商用電源の停電時にランプ２５に給電するための非常用電源たる蓄電池２９を有している。
【００２５】
図３に示すように、表示ユニット２０は、避難口へ誘導するためのシンボルが表記され投光性を有する表示パネル３１と、表示パネル３１の裏面に配設されたレンズシート３２と、レンズシート３２の裏面に配設されてランプ２５の光をレンズシート３２へ導光する導光板３３と、導光板３３の裏面に配設された反射シート３４と、表示パネル３１、レンズシート３２、導光板３３および反射シート３４を保持するパネルケース３６とからなる。
【００２６】
導光板３３は、上方のランプ２５より入射された光をレンズシート３２に導くことで、表示パネル３１の表面３１Ａを均一に光らせるものである。
【００２７】
パネルケース３６は、上端部３６Ａに保温部材４０が取り外し可能に取り付けられている。
図２に示すように、保温部材４０は、パネルケース３６の上端部３６Ａからホルダ本体２８の天井部２８Ａに向けて湾曲状に張り出され、反射板２６を包み込むような湾曲の突起形状に形成されている。
よって、ホルダ本体２８のランプ２５を収容する空間４２が保温部材４０で閉塞された状態になる。
【００２８】
これにより、ランプ２５の最冷点を保温して、ランプ２５の管壁２５Ａの温度（以下、「管壁温度」という）を上昇させることができる。
これにより、ランプ２５の温度特性にあった光出力を得ることができ、ランプ２５の輝度を上昇させることができる。
【００２９】
この保温部材４０は、図４に示すように、パネルケース３６に連結された付け根部（基部）４０Ａに複数の開口孔４３が形成されている。
これにより、保温部材４０を付け根部（基部）４０Ａで簡単に折って、パネルケース３６から取り外す（切除する）ことができる。
【００３０】
これにより、例えば、表示灯１０がＢＬ型の場合、保温部材４０をパネルケース３６に取り付けた状態で表示ユニット２０を構成する。
一方、表示灯１０がＢＨ型の場合、保温部材４０をパネルケース３６から取り外した状態で表示ユニット２０を構成する。
【００３１】
ＢＬ型の表示灯１０は、保温部材４０を設けることで、ランプ２５が保温され輝度が上昇する。
一方、ＢＨ型の表示灯１０は、保温部材４０を取り外すことで、ランプ２５の熱を放熱するため常時の輝度を保つことができる。
したがって、ＢＬ型およびＢＨ型の両方の表示灯１０が最適な温度を確保することができる。
【００３２】
また、ＢＨ型の表示灯１０とＢＬ型の表示灯１０は、本体１１、ランプ２５、ランプホルダ１４は共通で、出力の違う点灯ブロック１６と表示ユニット２０の構成が異なるだけである。
このため、本発明に係る表示灯１０によれば、本体１１、ランプ２５、ランプホルダ１４は共通のままでよく、加えて、表示パネル３１はＢＨ型とＢＬ型との二種類を兼ねているの。
【００３３】
したがって、本発明に係る表示灯１０によれば、部品点数も増やさずにすみ、また、器具組立時も、本体１１、ランプ２５、ランプホルダ１４は共通のままでよいので組立違いを起こす虞がない。
【００３４】
さらに、表示ユニット２０の構成部材であるパネルケース３６の金型を同一とすることができ、表示ユニット２０の組立時に保温部材４０を取り外すだけで、パネルケース３６をＢＨ型とＢＬ型とに区別することができる。
【００３５】
以上説明したように、表示灯１０は、保温部材４０が表示ユニット２０に対して取り外し可能に取り付けられている。
このように、保温部材４０を取り外し可能に取り付けることにより、部品点数を増やすことなく、安価で、加工性、組立性に優れた表示灯を提供できる。
【００３６】
なお、保温部材４０は、図２に示すように、パネルケース３６の上端部３６Ａからホルダ本体２８の天井部２８Ａに向けて湾曲状に張り出させることが好ましいが、温度条件により適宜変更が可能である。
【００３７】
例えば、第１実施形態の保温部材４０に代えて、図５（Ａ）に示す変形例１の保温部材４５を用いた場合にも同様の効果が得られる。
変形例１の保温部材４５は、内面４５Ａが保温部材４０と同様に湾曲状に形成され、外面４５Ｂが鉛直状に形成されている。
保温部材４５によれば、第１実施形態の保温部材４０と比較して肉厚寸法が増すので、ランプ２５を収容する空間４２の保温性をさらに高めることが可能である。
【００３８】
あるいは、第１実施形態の保温部材４０に代えて、図５（Ｂ）に示す変形例２の保温部材４６を用いた場合にも同様の効果が得られる。
変形例２の保温部材４６は、保温部材４６の上部４６Ａが反射板２６を包み込むように形成されている。
【００３９】
保温部材４６によれば、第１実施形態の保温部材４０と比較して保温部材４６の上部４６Ａで反射板２６を包み込むことで、ランプ２５を収容する空間４２の保温性をさらに高めることが可能である。
【００４０】
以下、第２〜第５実施形態を図６〜図１３に基づいて説明する。なお、第２〜第５実施形態において、第１実施形態の表示灯１０と同一類似部材については同じ符号を付して説明を省略する。
【００４１】
（第２実施形態）
図６〜図７に示す第２実施形態の表示灯５０は、第１実施形態の保温部材４０に代えて保温部材５１を設けたもので、その他の構成は第１実施形態の表示灯１０と同様である。
【００４２】
保温部材５１は、第１実施形態の保温部材４０と比較して幅Ｗが狭く形成され、パネルケース３６の上端部３６Ａのうち中央部３６Ａに配置されている。
これにより、保温部材５１は、ランプ２５の両端部を覆わないで、中央部および中央部近傍のみを覆うように形成されている。
【００４３】
ランプ２５の中央部および中央部近傍のみを覆う理由は次の通りである。
すなわち、ランプ２５の特性として、ランプ２５の中央部は管壁温度が低く、ランプ２５の両端部に近づくにしたがってランプ２５の管壁温度が高くなる。
そこで、ランプ２５の中央部および中央部近傍のみに保温部材５１を配置して管壁温度の保温効果を得ることが可能になる。
【００４４】
これにより、ランプ２５の温度特性にあった光出力を得ることができ、ランプ２５の輝度を上昇させることができる。
すなわち、第２実施形態の表示灯５０によれば、第１実施形態の表示灯１０と同様の効果が得られる。
【００４５】
（第３実施形態）
図８〜図９に示す第２実施形態の表示灯６０は、第１実施形態の保温部材４０に代えて保温部材６１を設け、保温部材６１に吸熱シート６２を貼り付けたもので、その他の構成は第１実施形態の表示灯１０と同様である。
【００４６】
保温部材６１は、第１実施形態の保温部材４０と比較して、保温部材６１の上部６１Ａが反射板２６を十分に包み込むように形成され、その他の形状は第１実施形態の保温部材４０と同じである。
吸熱シート６２は、保温部材６１の上部６１Ａの内面に貼り付けられ、反射板２６に接触されている。
吸熱シート６２を反射板２６に接触させることにより、ランプ２５の熱を吸収し、ランプ２５の熱を下げることができる。
【００４７】
これにより、ランプ２５の温度特性にあった光出力を得ることができ、ランプ２５の輝度を上昇させることができる。
すなわち、第３実施形態の表示灯６０によれば、第１実施形態の表示灯１０と同様の効果が得られる。
【００４８】
（第４実施形態）
図１０〜図１１に示す第４実施形態の表示灯７０は、第１実施形態の保温部材４０に代えて保温部材７１を設けたもので、その他の構成は第１実施形態の表示灯１０と同様である。
【００４９】
保温部材７１は、本体１１の上壁部２３Ｃに設けられている。
保温部材７１は、上壁部２３Ｃに連結された付け根部（基部）７１Ａに複数の開口孔７２が形成されている。
これにより、保温部材７１を付け根部（基部）７１Ａで簡単に折って、本体１１の上壁部２３Ｃから取り外すことができる。
【００５０】
第４実施形態の保温部材７１によれば、第１実施形態の保温部材４０と同様に、光の出力に合わせて本体１１から保温部材７１を取り外すことが可能である。
ところで、光の出力の違いにより二種類の本体１１が必要となるため、第１〜第３の実施形態と比べて部品点数が増え、組立の際に組立間違えに対する注意が必要になる。
【００５１】
（第５実施形態）
図１２〜図１３に示す第５実施形態の表示灯８０は、第１実施形態の保温部材４０に代えて保温部材８１を設けたもので、その他の構成は第１実施形態の表示灯１０と同様である。
【００５２】
保温部材８１は、ホルダ本体２８の天井部２８Ａに設けられている。
保温部材８１は、天井部２８Ａに連結された付け根部（基部）８１Ａに複数の開口孔８２が形成されている。
これにより、保温部材８１を付け根部（基部）８１Ａで簡単に折って、ホルダ本体２８の天井部２８Ａから取り外すことができる。
【００５３】
第５実施形態の保温部材８１によれば、第１実施形態の保温部材４０と同様に、光の出力に合わせてホルダ本体２８から保温部材８１を取り外すことが可能である。
ところで、光の出力の違いにより二種類のホルダ本体２８が必要となるため、第１〜第３の実施形態と比べて部品点数が増え、組立の際に組立間違えに対する注意が必要になる。
【００５４】
なお、前記実施形態で例示した保温部材４０，４５，４６，５１，６１，７１，８１などの形状や寸法は適宜変更が可能である。
【産業上の利用可能性】
【００５５】
本発明は、光源からの光を出力・表示させる表示ユニットとを備えた表示灯への適用に好適である。
【図面の簡単な説明】
【００５６】
【図１】本発明に係る第１実施形態の表示灯を示す分解斜視図である。
【図２】第１実施形態の表示灯を示す断面図である。
【図３】第１実施形態の表示灯の表示ユニットを示す分解斜視図である。
【図４】第１実施形態の表示灯の保温部材を示す斜視図である。
【図５】図５（Ａ）は第１実施形態の変形例１を示す断面図、図５（Ｂ）は第１実施形態の変形例２を示す断面図である。
【図６】第２実施形態の表示灯を示す断面図である。
【図７】第２実施形態の表示灯の保温部材を示す斜視図である。
【図８】第３実施形態の表示灯を示す断面図である。
【図９】第３実施形態の表示灯の保温部材を示す斜視図である。
【図１０】第４実施形態の表示灯を示す断面図である。
【図１１】第４実施形態の表示灯の保温部材を示す斜視図である。
【図１２】第５実施形態の表示灯を示す断面図である。
【図１３】第５実施形態の表示灯の保温部材を示す斜視図である。
【図１４】従来の表示灯のランプ管壁温度とランプ輝度との関係を示すグラフである。
【符号の説明】
【００５７】
１０，５０，６０，７０，８０  表示灯
１５  点灯装置
２０  表示ユニット
２５  ランプ（光源）
４０，４５，４６，５１，６１，７１，８１  保温部材
【図１】
2009003339.tif 000003
【図２】
2009003339.tif 000004
【図３】
2009003339.tif 000005
【図４】
2009003339.tif 000006
【図５】
2009003339.tif 000007
【図６】
2009003339.tif 000008
【図７】
2009003339.tif 000009
【図８】
2009003339.tif 000010
【図９】
2009003339.tif 000011
【図１０】
2009003339.tif 000012
【図１１】
2009003339.tif 000013
【図１２】
2009003339.tif 000014
【図１３】
2009003339.tif 000015
【図１４】
2009003339.tif 000016